(57)【要約】【課題】誤送信を防止可能な通信システム、端末装置、通信装置及びその制御方法、並びにプログラムを提供する。【解決手段】端末装置１２０は、宛先情報に誤りがないか否かを判別するための予め定められた操作をユーザに行わせ（ステップＳ４５０，４０９）、予め定められた操作により入力された入力結果を通信装置に送信し（ステップＳ４０６，４１０）、通信装置から宛先情報に誤りがないことが通知された場合に（ステップＳ４０７で画像送信要求）、通信装置にデータとともに、データの送信要求を送信する。【選択図】図７
2015154448.tif 000002
【特許請求の範囲】
【請求項１】
データを宛先に送信可能な通信装置に前記データを送信することで、前記宛先に前記データを前記通信装置に送信させる端末装置であって、
前記通信装置に前記データを送信させるために、前記宛先を示す宛先情報がユーザの入力操作により入力される入力手段と、
前記入力手段により入力された前記宛先情報と、前記ユーザが前記宛先情報を入力した際の入力操作を示す入力操作情報とを含む送信設定情報を前記通信装置に送信する第１送信手段と、
前記第１送信手段により送信された前記送信設定情報に対して、前記通信装置から指示された、前記宛先情報に誤りがないか否かを判別するための予め定められた操作を前記ユーザに行わせ、前記予め定められた操作により入力された入力結果を前記通信装置に送信する第２送信手段と、
前記第２送信手段により送信された前記入力結果に対して、前記通信装置から前記宛先情報に誤りがないことが通知された場合に、前記通信装置に前記データとともに、前記データの送信要求を送信する第３送信手段と
を備えたことを特徴とする端末装置。
【請求項２】
前記予め定められた操作は、前記入力手段により入力された前記送信設定情報に含まれる前記宛先情報を表示部に表示させた画面を前記ユーザが確認する確認操作、または前記ユーザに前記宛先情報を再度入力させる再入力操作であることを特徴とする請求項１記載の端末装置。
【請求項３】
端末装置からの要求によりデータを宛先に送信する通信装置であって、
前記宛先を示す宛先情報と、ユーザが前記宛先情報を入力した際の入力操作を示す入力操作情報とを含む送信設定情報を前記端末装置から受信する受信手段と、
前記受信手段により受信された前記送信設定情報に含まれる前記宛先情報に誤りがないか否かを判別するために前記ユーザに行わせる予め定められた操作を定めるための装置情報と前記入力操作情報から、前記ユーザに行わせる予め定められたを定める操作決定手段と、
前記操作決定手段により決定された前記予め定められた操作を前記ユーザに行わせる指示を前記端末装置に通知する指示通知手段と、
前記予め定められた操作により入力された入力結果を前記端末装置から受信し、前記入力結果により前記宛先情報に誤りがないか否かを判別する判別手段と、
前記判別手段によって前記宛先情報に誤りがないがないと判別された場合に、前記端末装置に前記宛先情報に誤りがないことを通知する通知手段と、
前記通知手段により前記誤りがないことを通知した後に、前記端末装置から前記データとともに、前記宛先へ前記データの送信要求を受信すると、前記宛先情報が示す宛先に前記データを送信する送信手段と
を備えたことを特徴とする通信装置。
【請求項４】
前記予め定められた操作は、前記宛先情報を前記端末装置の表示部に表示させた画面を前記ユーザが確認する確認操作、または前記ユーザに前記宛先情報を前記端末装置で再度入力させる再入力操作であることを特徴とする請求項３記載の通信装置。
【請求項５】
前記装置情報は、前記予め定められた操作ごとに、当該予め定められた操作を前記ユーザに行わせるか否かを示す情報であることを特徴とする請求項４記載の通信装置。
【請求項６】
前記入力操作情報が前記ユーザが前記宛先の選択操作によって前記宛先情報を入力したことを示し、前記装置情報が前記確認操作を前記ユーザに行せることを示す場合に、前記操作決定手段は、前記予め定められた操作を前記確認操作と定めることを特徴とする請求項５記載の通信装置。
【請求項７】
前記入力操作情報が前記ユーザが前記宛先を示す文字列の入力操作によって前記宛先情報を入力したことを示し、前記装置情報が前記確認操作を前記ユーザに行せることを示す場合に、前記操作決定手段は、前記予め定められた操作を前記再入力操作と定めることを特徴とする請求項５記載の通信装置。
【請求項８】
データを宛先に送信可能な通信装置に前記データを送信することで、前記宛先に前記データを前記通信装置に送信させる端末装置であって、
前記通信装置に前記データを送信させるために、前記宛先を示す宛先情報がユーザの入力操作により入力される入力手段と、
前記宛先情報に誤りがないか否かを判別するために前記ユーザに行わせる予め定められた操作を定めるための装置情報を取得する取得手段と、
前記取得手段により取得された前記装置情報と、前記ユーザが前記宛先情報を入力した際の入力操作を示す入力操作情報から、前記ユーザに行わせる予め定められたを定める操作決定手段と、
前記操作決定手段により決定された前記予め定められた操作を前記ユーザに行わせ、前記予め定められた操作により入力された入力結果により前記宛先情報に誤りがないか否かを判別する判別手段と、
前記判別手段により前記宛先情報に誤りがないと判別された場合に、前記通信装置に前記データ、及び前記宛先情報を含む送信設定情報とともに、前記データの送信要求を送信する第３送信手段と
を備えたことを特徴とする端末装置。
【請求項９】
前記予め定められた操作は、前記宛先情報を表示部に表示させた画面を前記ユーザが確認する確認操作、または前記ユーザに前記宛先情報を再度入力させる再入力操作であることを特徴とする請求項８記載の端末装置。
【請求項１０】
前記装置情報は、前記予め定められた操作ごとに、当該予め定められた操作を前記ユーザに行わせるか否かを示す情報であることを特徴とする請求項９記載の端末装置。
【請求項１１】
前記入力操作情報が前記ユーザが前記宛先の選択操作によって前記宛先情報を入力したことを示し、前記装置情報が前記確認操作を前記ユーザに行せることを示す場合に、前記操作決定手段は、前記予め定められた操作を前記確認操作と定めることを特徴とする請求項１０記載の端末装置。
【請求項１２】
前記入力操作情報が前記ユーザが前記宛先を示す文字列の入力操作によって前記宛先情報を入力したことを示し、前記装置情報が前記確認操作を前記ユーザに行せることを示す場合に、前記操作決定手段は、前記予め定められた操作を前記再入力操作と定めることを特徴とする請求項１０記載の端末装置。
【請求項１３】
端末装置からの要求によりデータを宛先に送信する通信装置であって、
前記端末装置のユーザにより入力された前記宛先を示す宛先情報に誤りがないか否かを判別するために前記ユーザに行わせる予め定められた操作を定めるための装置情報を送信する装置情報送信手段と、
前記端末装置から前記データとともに、前記宛先へ前記データの送信要求を受信すると、前記宛先情報が示す宛先に前記データを送信する送信手段と
を備えたことを特徴とする通信装置。
【請求項１４】
データを宛先に送信可能な通信装置に前記データを送信することで、前記宛先に前記データを前記通信装置に送信させる端末装置と前記端末装置からの要求によりデータを宛先に送信する通信装置とを含む通信システムであって、
前記端末装置は、
前記通信装置に前記データを送信させるために、前記宛先を示す宛先情報がユーザの入力操作により入力される入力手段と、
前記入力手段により入力された前記宛先情報と、前記ユーザが前記宛先情報を入力した際の入力操作を示す入力操作情報とを含む送信設定情報を前記通信装置に送信する第１送信手段と、
前記第１送信手段により送信された前記送信設定情報に対して、前記通信装置から指示された、前記宛先情報に誤りがないか否かを判別するための予め定められた操作を前記ユーザに行わせ、前記予め定められた操作により入力された入力結果を前記通信装置に送信する第２送信手段と、
前記第２送信手段により送信された前記入力結果に対して、前記通信装置から前記宛先情報に誤りがないことが通知された場合に、前記通信装置に前記データとともに、前記宛先へ前記データの送信要求を送信する第３送信手段と
を備えた、
前記通信装置は、
前記送信設定情報を前記端末装置から受信する受信手段と、
前記受信手段により受信された前記送信設定情報に含まれる前記宛先情報に誤りがないか否かを判別するために前記ユーザに行わせる予め定められた操作を定めるための装置情報と前記受信手段により受信された前記入力操作情報から、前記ユーザに行わせる予め定められたを定める操作決定手段と、
前記操作決定手段により決定された前記予め定められた操作を前記ユーザに行わせる指示を前記端末装置に通知する指示通知手段と、
前記入力結果を前記端末装置から受信し、前記入力結果により前記宛先情報に誤りがないか否かを判別する判別手段と、
前記判別手段によって前記宛先情報に誤りがないがないと判別された場合に、前記端末装置に前記宛先情報に誤りがないことを通知する通知手段と、
前記通知手段により前記誤りがないことを通知した後に、前記端末装置から前記データとともに、前記宛先へ前記データの送信要求を受信すると、前記宛先情報が示す宛先に前記データを送信する送信手段と
を備えたことを特徴とする通信システム。
【請求項１５】
データを宛先に送信可能な通信装置に前記データを送信することで、前記宛先に前記データを前記通信装置に送信させる端末装置と前記端末装置からの要求によりデータを宛先に送信する通信装置とを含む通信システムであって、
前記端末装置は、
前記通信装置に前記データを送信させるために、前記宛先を示す宛先情報がユーザの入力操作により入力される入力手段と、
前記宛先情報に誤りがないか否かを判別するために前記ユーザに行わせる予め定められた操作を定めるための装置情報を取得する取得手段と、
前記取得手段により取得された前記装置情報と、前記ユーザが前記宛先情報を入力した際の入力操作を示す入力操作情報から、前記ユーザに行わせる予め定められたを定める操作決定手段と、
前記操作決定手段により決定された前記予め定められた操作を前記ユーザに行わせ、前記予め定められた操作により入力された入力結果により前記宛先情報に誤りがないか否かを判別する判別手段と、
前記判別手段により前記宛先情報に誤りがないと判別された場合に、前記通信装置に前記データとともに、前記宛先へ前記データの送信要求を送信する第３送信手段と
を備え、
前記通信装置は、
前記装置情報を送信する送信手段と、
前記端末装置から前記データとともに、前記宛先へ前記データの送信要求を受信すると、前記宛先情報が示す宛先に前記データを送信する送信手段と
を備えたことを特徴とする通信システム。
【請求項１６】
データを宛先に送信可能な通信装置に前記データを送信することで、前記宛先に前記データを前記通信装置に送信させる端末装置の制御方法であって、
前記通信装置に前記データを送信させるために、前記宛先を示す宛先情報がユーザの入力操作により入力される入力ステップと、
前記入力ステップにより入力された前記宛先情報と、前記ユーザが前記宛先情報を入力した際の入力操作を示す入力操作情報とを含む送信設定情報を前記通信装置に送信する第１送信ステップと、
前記第１送信ステップにより送信された前記送信設定情報に対して、前記通信装置から指示された、前記宛先情報に誤りがないか否かを判別するための予め定められた操作を前記ユーザに行わせ、前記予め定められた操作により入力された入力結果を前記通信装置に送信する第２送信ステップと、
前記第２送信ステップにより送信された前記入力結果に対して、前記通信装置から前記宛先情報に誤りがないことが通知された場合に、前記通信装置に前記データとともに、前記データの送信要求を送信する第３送信ステップと
を備えたことを特徴とする制御方法。
【請求項１７】
端末装置からの要求によりデータを宛先に送信する通信装置の制御方法であって、
前記宛先を示す宛先情報と、ユーザが前記宛先情報を入力した際の入力操作を示す入力操作情報とを含む送信設定情報を前記端末装置から受信する受信ステップと、
前記受信ステップにより受信された前記送信設定情報に含まれる前記宛先情報に誤りがないか否かを判別するために前記ユーザに行わせる予め定められた操作を定めるための装置情報と前記入力操作情報から、前記ユーザに行わせる予め定められたを定める操作決定ステップと、
前記操作決定ステップにより決定された前記予め定められた操作を前記ユーザに行わせる指示を前記端末装置に通知する指示通知ステップと、
前記予め定められた操作により入力された入力結果を前記端末装置から受信し、前記入力結果により前記宛先情報に誤りがないか否かを判別する判別ステップと、
前記判別ステップによって前記宛先情報に誤りがないがないと判別された場合に、前記端末装置に前記宛先情報に誤りがないことを通知する通知ステップと、
前記通知ステップにより前記誤りがないことを通知した後に、前記端末装置から前記データとともに、前記宛先へ前記データの送信要求を受信すると、前記宛先情報が示す宛先に前記データを送信する送信ステップと
を備えたことを特徴とする制御方法。
【請求項１８】
データを宛先に送信可能な通信装置に前記データを送信することで、前記宛先に前記データを前記通信装置に送信させる端末装置の制御方法であって、
前記通信装置に前記データを送信させるために、前記宛先を示す宛先情報がユーザの入力操作により入力される入力ステップと、
前記宛先情報に誤りがないか否かを判別するために前記ユーザに行わせる予め定められた操作を定めるための装置情報を取得する取得ステップと、
前記取得ステップにより取得された前記装置情報と、前記ユーザが前記宛先情報を入力した際の入力操作を示す入力操作情報から、前記ユーザに行わせる予め定められたを定める操作決定ステップと、
前記操作決定ステップにより決定された前記予め定められた操作を前記ユーザに行わせ、前記予め定められた操作により入力された入力結果により前記宛先情報に誤りがないか否かを判別する判別ステップと、
前記判別ステップにより前記宛先情報に誤りがないと判別された場合に、前記通信装置に前記データ、及び前記宛先情報を含む送信設定情報とともに、前記データの送信要求を送信する第３送信ステップと
を備えたことを特徴とする制御方法。
【請求項１９】
端末装置からの要求によりデータを宛先に送信する通信装置の制御方法であって、
前記端末装置のユーザにより入力された前記宛先を示す宛先情報に誤りがないか否かを判別するために前記ユーザに行わせる予め定められた操作を定めるための装置情報を送信する装置情報送信ステップと、
前記端末装置から前記データとともに、前記宛先へ前記データの送信要求を受信すると、前記宛先情報が示す宛先に前記データを送信する送信ステップと
を備えたことを特徴とする制御方法。
【請求項２０】
データを宛先に送信可能な通信装置に前記データを送信することで、前記宛先に前記データを前記通信装置に送信させる端末装置の制御方法をコンピュータに実行させるためのプログラムであって、
前記制御方法は、
前記通信装置に前記データを送信させるために、前記宛先を示す宛先情報がユーザの入力操作により入力される入力ステップと、
前記入力ステップにより入力された前記宛先情報と、前記ユーザが前記宛先情報を入力した際の入力操作を示す入力操作情報とを含む送信設定情報を前記通信装置に送信する第１送信ステップと、
前記第１送信ステップにより送信された前記送信設定情報に対して、前記通信装置から指示された、前記宛先情報に誤りがないか否かを判別するための予め定められた操作を前記ユーザに行わせ、前記予め定められた操作により入力された入力結果を前記通信装置に送信する第２送信ステップと、
前記第２送信ステップにより送信された前記入力結果に対して、前記通信装置から前記宛先情報に誤りがないことが通知された場合に、前記通信装置に前記データとともに、前記データの送信要求を送信する第３送信ステップと
を備えたことを特徴とするプログラム。
【請求項２１】
端末装置からの要求によりデータを宛先に送信する通信装置の制御方法をコンピュータに実行させるためのプログラムであって、
前記制御方法は、
前記宛先を示す宛先情報と、ユーザが前記宛先情報を入力した際の入力操作を示す入力操作情報とを含む送信設定情報を前記端末装置から受信する受信ステップと、
前記受信ステップにより受信された前記送信設定情報に含まれる前記宛先情報に誤りがないか否かを判別するために前記ユーザに行わせる予め定められた操作を定めるための装置情報と前記入力操作情報から、前記ユーザに行わせる予め定められたを定める操作決定ステップと、
前記操作決定ステップにより決定された前記予め定められた操作を前記ユーザに行わせる指示を前記端末装置に通知する指示通知ステップと、
前記予め定められた操作により入力された入力結果を前記端末装置から受信し、前記入力結果により前記宛先情報に誤りがないか否かを判別する判別ステップと、
前記判別ステップによって前記宛先情報に誤りがないがないと判別された場合に、前記端末装置に前記宛先情報に誤りがないことを通知する通知ステップと、
前記通知ステップにより前記誤りがないことを通知した後に、前記端末装置から前記データとともに、前記宛先へ前記データの送信要求を受信すると、前記宛先情報が示す宛先に前記データを送信する送信ステップと
を備えたことを特徴とするプログラム。
【請求項２２】
データを宛先に送信可能な通信装置に前記データを送信することで、前記宛先に前記データを前記通信装置に送信させる端末装置の制御方法をコンピュータに実行させるためのプログラムであって、
前記制御方法は、
前記通信装置に前記データを送信させるために、前記宛先を示す宛先情報がユーザの入力操作により入力される入力ステップと、
前記宛先情報に誤りがないか否かを判別するために前記ユーザに行わせる予め定められた操作を定めるための装置情報を取得する取得ステップと、
前記取得ステップにより取得された前記装置情報と、前記ユーザが前記宛先情報を入力した際の入力操作を示す入力操作情報から、前記ユーザに行わせる予め定められたを定める操作決定ステップと、
前記操作決定ステップにより決定された前記予め定められた操作を前記ユーザに行わせ、前記予め定められた操作により入力された入力結果により前記宛先情報に誤りがないか否かを判別する判別ステップと、
前記判別ステップにより前記宛先情報に誤りがないと判別された場合に、前記通信装置に前記データ、及び前記宛先情報を含む送信設定情報とともに、前記データの送信要求を送信する第３送信ステップと
を備えたことを特徴とするプログラム。
【請求項２３】
端末装置からの要求によりデータを宛先に送信する通信装置の制御方法をコンピュータに実行させるためのプログラムであって、
前記制御方法は、
前記端末装置のユーザにより入力された前記宛先を示す宛先情報に誤りがないか否かを判別するために前記ユーザに行わせる予め定められた操作を定めるための装置情報を送信する装置情報送信ステップと、
前記端末装置から前記データとともに、前記宛先へ前記データの送信要求を受信すると、前記宛先情報が示す宛先に前記データを送信する送信ステップと
を備えたことを特徴とするプログラム。
【発明の詳細な説明】
【技術分野】
【０００１】
本発明は、通信システム、端末装置、通信装置及びその制御方法、並びにプログラムに関する。
【背景技術】
【０００２】
ユーザにより指定された相手先にファクシミリデータを送信するファクシミリ装置などの通信装置が知られている。
【０００３】
ファクシミリ装置ではユーザが送信先の入力間違いをし、間違った送信先にデータが送信されると、そこから重要な情報が漏洩する可能性がある。そのため、ユーザは送信先の確認に十分に気を配る必要がある。
【０００４】
そこで、ファクシミリ送信において送信相手先の番号を２回入力し、１回目の入力内容と２回目の入力内容とが一致したときに、当該原稿が送信される技術が開示されている（例えば、特許文献１参照）。
【０００５】
このように、ユーザが送信先の番号を複数回入力し、その番号が一致したらデータ送信を行ない、一致しないときに送信を中止する場合、最初に入力した番号が誤っていたときの誤送信を防ぐことができる。
【０００６】
また、ユーザはメモなどで番号を確認しながら入力するため、番号入力にも十分気を配ることができる。
【先行技術文献】
【特許文献】
【０００７】
【特許文献１】特開平２−２０００５８号公報
【発明の概要】
【発明が解決しようとする課題】
【０００８】
しかしながら、特許文献１に開示された技術は、ユーザがファクシミリ装置を操作してデータを送信する場合の技術であり、端末装置からファクシミリ送信するデータをファクシミリ装置に送信し、ファクシミリ装置がそのデータを送信する場合では、誤送信を防止することはできなかった。
【０００９】
本発明の目的は、誤送信を防止可能な通信システム、端末装置、通信装置及びその制御方法、並びにプログラムを提供することにある。
【課題を解決するための手段】
【００１０】
上記目的を達成するために、請求項１の端末装置は、データを宛先に送信可能な通信装置に前記データを送信することで、前記宛先に前記データを前記通信装置に送信させる端末装置であって、前記通信装置に前記データを送信させるために、前記宛先を示す宛先情報がユーザの入力操作により入力される入力手段と、前記入力手段により入力された前記宛先情報と、前記ユーザが前記宛先情報を入力した際の入力操作を示す入力操作情報とを含む送信設定情報を前記通信装置に送信する第１送信手段と、前記第１送信手段により送信された前記送信設定情報に対して、前記通信装置から指示された、前記宛先情報に誤りがないか否かを判別するための予め定められた操作を前記ユーザに行わせ、前記予め定められた操作により入力された入力結果を前記通信装置に送信する第２送信手段と、前記第２送信手段により送信された前記入力結果に対して、前記通信装置から前記宛先情報に誤りがないことが通知された場合に、前記通信装置に前記データとともに、前記データの送信要求を送信する第３送信手段とを備えたことを特徴とする。
【発明の効果】
【００１１】
本発明によれば、宛先情報に誤りがないか否かを判別するための予め定められた操作をユーザに行わせ、予め定められた操作により入力された入力結果を通信装置に送信し、通信装置から宛先情報に誤りがないことが通知された場合に、通信装置にデータとともに、データの送信要求を送信するので、誤送信を防止することができる。
【図面の簡単な説明】
【００１２】
【図１】本発明の実施の形態に係る通信システムの概略構成を示す図である。
【図２】図１におけるファクシミリ装置の概略構成を示す図である。
【図３】図１における端末装置の概略構成を示す図である。
【図４】図４（Ａ）は、図２におけるＲＯＭに記憶される装置情報を示す図であり、図４（Ｂ）は、図３におけるＣＰＵが生成する送信設定情報を示す図である。
【図５】図３における表示部に表示される画面を示す図である。
【図６】図２における操作パネルまたは図３における表示部に表示される画面を示す図である。
【図７】図３における端末装置のＣＰＵにより実行されるファクシミリ送信要求処理の手順を示すフローチャートである。
【図８】図２におけるファクシミリ装置のＣＰＵにより実行されるファクシミリ送信処理の手順を示すフローチャートである。
【図９】図３における端末装置のＣＰＵにより実行されるファクシミリ送信要求処理の手順を示すフローチャートである。
【図１０】図２におけるファクシミリ装置のＣＰＵにより実行されるファクシミリ送信処理の手順を示すフローチャートである。
【発明を実施するための形態】
【００１３】
以下、本発明の実施の形態について図面を参照しながら詳述する。
【００１４】
図１は、本発明の実施の形態に係る通信システム１００の概略構成を示す図である。
【００１５】
図１において、通信システム１００は、端末装置１２０及び通信装置であるファクシミリ装置１１０で構成される。
【００１６】
端末装置１２０とファクシミリ装置１１０は、ＬＡＮ１５０で接続されている。ＬＡＮ１５０は有線または無線でもよく、またＬＡＮ１５０に代えてＵＳＢなどで通信するようにしてもよい。
【００１７】
端末装置１２０は、ユーザがファクシミリを送信する際に操作する端末である。ファクシミリ装置１１０は、端末装置１２０からの指示により公衆回線網１３０を介してファクシミリ受信装置１４０へファクシミリを送信する。このように、端末装置１２０は、データを宛先に送信可能なファクシミリ装置１１０にデータを送信することで、宛先にデータをファクシミリ装置１１０に送信させる。また、ファクシミリ装置１１０は、端末装置からの要求によりデータを宛先に送信する通信装置である。
【００１８】
図２は、図１におけるファクシミリ装置１１０の概略構成を示す図である。
【００１９】
図２において、ファクシミリ装置１１０は、コントローラ２０１、印刷部２０７、読取部２０９、操作パネル２１０、及び回線インタフェース２１２で構成される。
【００２０】
コントローラ２０１は、印刷部２０７、読取部２０９、操作パネル２１０、及び回線インタフェース２１２を制御する。
【００２１】
印刷部２０７は、紙などの記録媒体に画像データが示す画像を印刷する。読取部２０９は、原稿を読み取り、原稿画像を示す画像データをコントローラ２０１に出力する。操作パネル２１０は、コントローラ２０１から出力された画面によってユーザに情報を表示したり、ユーザからの操作を受け付けてコントローラ２０１に出力する。本実施の形態の操作パネル２１０には、アドレス帳の登録番号に対応した短縮ダイヤルボタンがハードキーまたはソフトキーとしてさらに設けられている。回線インタフェース２１２は、公衆回線網１３０とのインタフェースである。
【００２２】
また、コントローラ２０１は、ＣＰＵ２０２、ＲＡＭ２０３、ＲＯＭ２０４、印刷部インタフェース、読取部インタフェース２０８、モデム２１１、ＵＳＢインタフェース２１３、及びネットワークインタフェース２１４で構成され、それらはバス２０５で接続されている。
【００２３】
ＣＰＵ２０２は、コントローラ２０１を制御することで、ファクシミリ装置１１０全体を制御する。ＲＡＭ２０３は、ＣＰＵ２０２のワークエリアとして用いられたり、各種プログラムや各種データを記憶する。ＲＯＭ２０４は、フォント、プログラム、及び設定データを含む各種データなどを記憶する。後述するファクシミリ装置１１０のフローチャートは、ＣＰＵ２０２が、ＲＯＭ２０４またはＲＡＭ２０３に展開されたプログラムを実行する処理の手順を示している。
【００２４】
印刷部インタフェース２０６は、コントローラ２０１と印刷部２０７とのインタフェースである。読取部インタフェース２０８は、コントローラ２０１と読取部２０９とのインタフェースである。
【００２５】
モデム２１１は回線インタフェース２１２を介して公衆回線網１３０に接続されたファクシミリ受信装置１４０などの外部装置との通信処理を行う。ＵＳＢインタフェース２１３は、ＵＳＢ機器と接続するためのインタフェースである。ネットワークインタフェース２１４は、ＬＡＮ１５０に接続するためのインタフェースである。
【００２６】
図３は、図１における端末装置１２０の概略構成を示す図である。
【００２７】
図３において、端末装置１２０は、ＣＰＵ２２０、ＲＡＭ２２１、ＲＯＭ２２２、通信部２２３、表示部２２４、及び操作部２２５で構成され、それらはバス２２６で接続されている。
【００２８】
ＣＰＵ２２０は、端末装置１２０全体を制御する。ＲＡＭ２２１は、ＣＰＵ２２０のワークエリアとして用いられたり、各種プログラムや各種データを記憶する。ＲＯＭ２２２は、各種プログラムや各種データなどを記憶する。このＲＯＭ２２２は、フラッシュメモリであるため書き換え可能であるが、ハードディスクドライブなどを用いてもよい。後述する端末装置１２０のフローチャートは、ＣＰＵ２２０が、ＲＯＭ２２２またはＲＡＭ２２１に展開されたプログラムを実行する処理の手順を示している。
【００２９】
通信部２２３は、ＬＡＮ１５０に接続するためのインタフェースである。この通信部２２３は、ＬＡＮの他に、ＵＳＢなどの他の通信規格に対応するインタフェースをまとめて記載している。
【００３０】
表示部２２４は、ユーザに各種情報を表示する。操作部２２５は、ユーザの操作を受け付ける。また、後述するように、本実施の形態の表示部２２４には、アドレス帳の登録番号に対応した短縮ダイヤルボタンがソフトキーとして表示される。
【００３１】
本実施の形態における端末装置１２０は、ＰＣ、スマートフォン、タブレットなどを想定しているので、操作部２２５の例として、マウス、キーボード、タッチパネルなどが挙げられる。
【００３２】
図４（Ａ）は、図２におけるＲＯＭ２０４に記憶される装置情報８００を示す図であり、図４（Ｂ）は、図３におけるＣＰＵ２２０が生成する送信設定情報７００を示す図である。
【００３３】
図４（Ａ）において、装置情報８００は、確認入力設定８０１、及び宛先情報確認設定８０２で構成される。
【００３４】
確認入力設定８０１は、ユーザがファックス番号を入力してファックス送信する場合に、ユーザにファックス番号を再入力させるか否かを指定するための設定である。「ＯＮ」の場合は再入力させる設定となり、「ＯＦＦ」の場合は再入力させない設定となる。
【００３５】
宛先情報確認設定８０２は、ユーザが短縮ダイヤルボタンを用いてファックス送信する場合に、宛先情報の確認画面を操作パネル２１０に表示するか否かを指定するための設定である。「ＯＮ」の場合は確認画面を表示させる設定となり、「ＯＦＦ」の場合は確認画面を表示させない設定となる。
【００３６】
このように、装置情報８００は、宛先情報に誤りがないか否かを判別するためにユーザに行わせる予め定められた操作を定めるための情報であり、予め定められた操作ごとに、当該予め定められた操作をユーザに行わせるか否かを「ＯＮ」または「ＯＦＦ」で示す情報である。
【００３７】
図４（Ｂ）において、送信設定情報７００は、宛先指定種別７０１、宛先名７０２、ファックス番号７０３、及び解像度７０４で構成される。
【００３８】
この送信設定情報７００は、ユーザが端末装置１２０でファクシミリ送信する操作を行い、ファクシミリ装置１１０でファクシミリ送信する場合に、端末装置１２０からファクシミリ装置１１０に送信される情報である。
【００３９】
宛先指定種別７０１は、ユーザが相手先を指定するために、ファックス番号を入力したか、または短縮ダイヤルボタンで指定されたか否かを示す。ユーザがファックス番号を入力した場合には、宛先指定種別７０１は「手動入力」となり、ユーザが短縮ダイヤルボタンで指定した場合には、宛先指定種別７０１は「アドレス帳指定」となる。
【００４０】
宛先名７０２は、宛先の名称を示す。ファックス番号７０３は、宛先のファックス番号を示す。解像度７０４は、送信される画像の解像度を示す。
【００４１】
上述した送信設定情報７００において、宛先指定種別７０１は、ユーザが宛先情報を入力した際の入力操作を示す入力操作情報に対応し、ファックス番号が宛先を示す宛先情報に対応している。
【００４２】
上述した装置情報８００と宛先指定種別７０１は、ファックス番号の再入力が必要か否か、またファックス番号の確認が必要であるか否かの判別に用いられる。まず、宛先指定種別７０１には２通りの設定があり、確認入力設定８０１、及び宛先情報確認設定８０２は各々２通りの設定があるので、設定の組み合わせは８通りとなる。
【００４３】
この８通りのうち、宛先指定種別７０１が「手動入力」となっている組み合わせでは、確認入力設定８０１の設定内容のみが判別結果に影響する。
【００４４】
また、宛先指定種別７０１が「アドレス帳指定」となっている組み合わせでは、宛先情報確認設定８０２の設定内容のみが判別結果に影響する。
【００４５】
従って、宛先指定種別７０１が「アドレス帳指定」で、宛先情報確認設定８０２が「ＯＮ」の場合（この組み合わせをＡとする）にのみ、ファックス番号の確認操作をユーザに行わせることを定める。
【００４６】
また、宛先指定種別７０１が「手動入力」で、確認入力設定８０１が「ＯＮ」の場合（この組み合わせをＢとする）にのみ、ファックス番号の再入力操作をユーザに行わせることを定める。
【００４７】
上記組み合わせＡ，Ｂ以外の組み合わせは、ファックス番号の再入力、及びファックス番号の確認が不要と判別され、直ちにファクシミリ送信可能となる。これらの判別については後述するファクシミリ送信処理で行われる。このように、本実施の形態では装置情報８００と宛先指定種別７０１から、ユーザに行わせる予め定められたを定めることができる。
【００４８】
図５は、図３における表示部２２４に表示される画面を示す図である。
【００４９】
図５に示されるいずれの画面も、端末装置１２０にインストールされたファクシミリ送信アプリケーションにより表示される。このファクシミリ送信アプリケーションは、他のアプリケーションから起動されて、他のアプリケーションで作成した画像をファクシミリ送信したり、単独で起動して、送信する画像を選択することで、画像をファクシミリ送信する。
【００５０】
図５（Ａ）は、ファクシミリ送信アプリケーションの起動時に表示される宛先設定画面５００を示す図である。
【００５１】
宛先設定画面５００は、宛先名ボックス５０１、ファックス番号ボックス５０２、登録ボタン５０３、宛先表示５０４、送信開始ボタン５０５、キャンセルボタン５０６、及びアドレス帳表示ボタン５０７で構成される。
【００５２】
宛先名ボックス５０１は、ユーザが宛先名を入力するためのテキストボックスである。ファックス番号ボックス５０２は、ユーザがファックス番号を入力するためのテキストボックスである。
【００５３】
登録ボタン５０３は、ユーザが新たな宛先を登録するためのボタンである。宛先表示５０４には、ファクシミリ送信する宛先が表示される。
【００５４】
送信開始ボタン５０５は、ファクシミリ送信を開始するためのボタンである。この送信開始ボタン５０５が押下されると、上述した送信設定情報７００が生成され、ファクシミリ装置１１０に送信される。
【００５５】
キャンセルボタン５０６は、ファクシミリ送信を行わずにキャンセルするためのボタンである。アドレス帳表示ボタン５０７は、図５（Ｂ）に示されるアドレス帳画面５１０を表示するためのボタンである。
【００５６】
図５（Ｂ）は、アドレス帳画面５１０を示す図である。
【００５７】
アドレス帳画面５１０は、アドレス一覧５１１、宛先追加ボタン５１２、宛先表示５１３、ＯＫボタン５１４、及びキャンセルボタン５１５で構成される。
【００５８】
アドレス一覧５１１には、アドレス帳に登録されている宛先の一覧が表示される。宛先追加ボタン５１２は、アドレス一覧５１１でユーザが選択した宛先を追加するためのボタンである。
【００５９】
宛先表示５１３には、ファクシミリ送信する宛先が表示される。ＯＫボタン５１４は、宛先表示５１３に表示された宛先を宛先表示５０４に反映させるためのボタンである。キャンセルボタン５１５は、アドレス帳画面５１０での操作内容をキャンセルして、宛先設定画面５００を表示させるためのボタンである。
【００６０】
以上説明した図５の画面により、宛先を示す宛先情報がユーザの入力操作により入力される。また、図５（Ａ）のファックス番号ボックス５０２では、ユーザが宛先を示す文字列の入力操作によって宛先情報を入力でき、図５（Ｂ）のアドレス帳画面５１０では、ユーザが宛先の選択操作によって宛先情報を入力することができる。
【００６１】
図６は、図２における操作パネル２１０または図３における表示部２２４に表示される画面を示す図である。
【００６２】
図６（Ａ）は、ファックス番号確認入力画面６００を示す図である。
【００６３】
図６（Ａ）において、ファックス番号確認入力画面６００は、ファックス番号入力ボックス６０１、ＯＫボタン６０２、及びキャンセルボタン６０３で構成される。
【００６４】
ファックス番号入力ボックス６０１は、ユーザが確認のためのファックス番号を入力するためのテキストボックスである。ＯＫボタン６０２は、ファックス番号入力ボックス６０１に入力されたファックス番号をファクシミリ装置１１０へ送信するためのボタンである。キャンセルボタン６０３は、ファクシミリ送信をキャンセルするためのボタンである。このファックス番号確認入力画面６００は、予め定められた操作として、ユーザに宛先情報を再度入力させる再入力操作を行わせるための画面である。この再入力操作とは、ファックス番号入力ボックス６０１にファックス番号を入力し、ＯＫボタン６０２を押下させる操作である。
【００６５】
図６（Ｂ）は、番号不一致画面６２０を示す図である。
【００６６】
図６（Ｂ）の番号不一致画面６２０は、図６（Ａ）のファックス番号確認入力画面６００でユーザにより入力されたファックス番号と、宛先設定画面５００のファックス番号ボックス５０２において入力されたファックス番号とが異なる場合に表示される画面である。
【００６７】
ＯＫボタン６２１は、ユーザが一致しなかったことを確認した場合に、再びファックス番号を入力するために、図６（Ａ）のファックス番号確認入力画面６００を表示させるためのボタンである。
【００６８】
図６（Ｃ）は、宛先確認画面６１０を示す図である。
【００６９】
図６（Ｃ）において、宛先確認画面６１０は、宛先情報６１１、ＯＫボタン６１２、及びキャンセルボタン６１３で構成される。
【００７０】
宛先情報６１１には、ファクシミリ送信する宛先が表示される。ＯＫボタン６１２は、ユーザがファクシミリ送信する宛先が確認できた場合に、確認したことをファクシミリ装置１１０へ送信するためのボタンである。キャンセルボタン６１３は、ファクシミリ送信をキャンセルするためのボタンである。
【００７１】
この宛先確認画面６１０は、予め定められた操作として、宛先情報を表示部２２４に表示させた画面をユーザが確認する確認操作を行わせるための画面である。この確認操作とは、ＯＫボタン６１２をユーザに押下させる操作である。
【００７２】
上述したように、本実施の形態では、ユーザに番号を再入力させたり、宛先を確認させることがあるが、この再入力と確認とが必要か否かを判別する処理をファクシミリ装置１１０で実行させる場合と、端末装置１２０で実行させる場合とがある。
【００７３】
次に説明する図７，８のフローチャートは、再入力と確認とが必要か否かを判別する処理をファクシミリ装置１１０で実行させる場合の処理の手順を示している。
【００７４】
図７は、図３における端末装置１２０のＣＰＵ２２０により実行されるファクシミリ送信要求処理の手順を示すフローチャートである。
【００７５】
図７において、上述した宛先設定画面５００やアドレス帳画面５１０でユーザによる設定が行われ、送信開始ボタン５０５が押下されると（ステップＳ４０１）、送信設定情報７００を生成する（ステップＳ４０２）。上記ステップＳ４０１では、図５の画面でファクシミリ装置１１０にデータを送信させるために、宛先情報がユーザの入力操作により入力されるので、入力手段に対応する。
【００７６】
そして、生成された送信設定情報７００をファクシミリ装置１１０に送信すると（ステップＳ４０３）、ファクシミリ装置１１０から指示が返信される。このステップＳ４０３は、送信設定情報をファクシミリ装置１１０に送信する第１送信手段に対応する。
【００７７】
このファクシミリ装置１１０の指示で分岐する（ステップＳ４０４）。ステップＳ４０４の判別の結果、指示が送信許可の場合には（ステップＳ４０４で送信許可）、ステップＳ４０７に進む。この送信許可とは、再入力と確認とが不要であり、直ちにファクシミリ送信を行う場合に通知される指示である。
【００７８】
ステップＳ４０４の判別の結果、指示が宛先確認の場合には（ステップＳ４０４で宛先確認）、図６（Ｃ）の宛先確認画面６１０を表示して、ユーザによりＯＫボタン６１２またはキャンセルボタン６１３が押下されると（ステップＳ４０５）、入力結果をファクシミリ装置１１０に送信し（ステップＳ４０６）、ステップＳ４０７に進む。ここでの入力結果は、ＯＫボタン６１２が押下された場合には確認ＯＫであり、キャンセルボタン６１３が押下された場合には確認ＮＧである。
【００７９】
ステップＳ４０４の判別の結果、指示が番号再入力の場合には（ステップＳ４０４で番号再入力）、図６（Ａ）のファックス番号確認入力画面６００を表示し、ファックス番号を入力させ、ユーザによりＯＫボタン６０２またはキャンセルボタン６０３が押下される（ステップＳ４０９）。
【００８０】
次いで、ステップＳ４０９での入力結果をファクシミリ装置１１０に送信し（ステップＳ４１０）、ステップＳ４０７に進む。ここでの入力結果は、ＯＫボタン６０２が押下された場合には入力されたファックス番号であり、キャンセルボタン６０３が押下された場合にはキャンセルである。上記ステップＳ４０６とステップＳ４１０は、送信された送信設定情報に対して、ファクシミリ装置１１０から指示された、予め定められた操作をユーザに行わせ、予め定められた操作により入力された入力結果を通信装置に送信する第２送信手段に対応する。
【００８１】
再びファクシミリ装置１１０の指示で分岐する（ステップＳ４０７）。ステップＳ４０７の判別の結果、指示がキャンセルの場合には（ステップＳ４０７でキャンセル）、本処理を終了する。このキャンセルという指示は、ステップＳ４０６での入力結果が確認ＮＧか、ステップＳ４１０での入力結果がキャンセルされたことの場合に通知される。
【００８２】
ステップＳ４０７の判別の結果、指示が画像送信要求の場合には（ステップＳ４０７で画像送信要求）、ファクシミリ送信する画像データとともにファクシミリ送信の要求を送信して（ステップＳ４０８）、本処理を終了する。このステップＳ４０８は、入力結果に対して、ファクシミリ装置１１０から宛先情報に誤りがないことが通知された場合に（ステップＳ４０７で画像送信要求）、ファクシミリ装置１１０にデータとともに、宛先へデータの送信要求を送信する第３送信手段に対応する。
【００８３】
ステップＳ４０７の判別の結果、指示が番号再入力の場合には（ステップＳ４０７で番号再入力）、図６（Ｂ）の番号不一致画面６２０を表示部２２４に表示して（ステップＳ４１１）、ステップＳ４０９に戻る。
【００８４】
上記処理では、ステップＳ４０９においてファックス番号が入力された場合には、そのファックス番号をステップＳ４１０で送信する処理となっているが、ステップＳ４０１で入力されたファックス番号とステップＳ４０９で入力されたファックス番号とを比較するようにしてもよい。この場合、ファックス番号が不一致の場合には、ステップＳ４１１に進むこととなる。
【００８５】
図８は、図２におけるファクシミリ装置１１０のＣＰＵ２０２により実行されるファクシミリ送信処理の手順を示すフローチャートである。
【００８６】
図８において、端末装置１２０から送信設定情報７００を受信すると（ステップＳ３０１）、図４（Ａ）の装置情報８００と比較して、その比較結果で分岐する（ステップＳ３０２）。上記ステップＳ３０１は、宛先情報と、送信設定情報を端末装置１２０から受信する受信手段に対応する。
【００８７】
送信設定情報７００と装置情報８００とを比較した結果、設定の組み合わせが図４で説明した組み合わせＡ，Ｂ以外の組み合わせでは送信許可を指示することとなる。従って、ステップＳ３０２の判別の結果、送信許可を指示する場合には（ステップＳ３０２で送信許可）、端末装置１２０に送信許可を指示する（ステップＳ３０３）。このステップＳ３０２は、ユーザに行わせる予め定められた操作を定める操作決定手段に対応する。
【００８８】
次いで、ファクシミリ送信する画像データを端末装置１２０に要求することで（ステップＳ３０４）、宛先情報に誤りがないことを通知し、画像データを受信すると、ファクシミリ送信を行い（ステップＳ３０５）、本処理を終了する。上記ステップＳ３０４は、宛先情報に誤りがないがないと判別された場合に、端末装置１２０に宛先情報に誤りがないことを通知する通知手段に対応する。また、ステップＳ３０５は、誤りがないことを通知した後に、端末装置１２０からデータとともに、宛先へデータの送信要求を受信すると、宛先情報が示す宛先にデータを送信する送信手段に対応する。
【００８９】
ステップＳ３０２に戻り、送信設定情報７００と装置情報８００とを比較した結果、設定の組み合わせが図４で説明した組み合わせＡの場合では宛先確認を指示することとなる。ステップＳ３０２の判別の結果、宛先確認を指示する場合には（ステップＳ３０２で宛先確認）、端末装置１２０に宛先確認を指示する（ステップＳ３０３）。
【００９０】
次いで、図７のステップＳ４０６で端末装置１２０から送信された入力結果を受信し（ステップＳ３０７）、入力結果が確認ＯＫか否か判別する（ステップＳ３０８）。
【００９１】
ステップＳ３０８の判別の結果、入力結果が確認ＯＫの場合には（ステップＳ３０８でＹＥＳ）、上記ステップＳ３０４に進む。
【００９２】
一方、ステップＳ３０８の判別の結果、入力結果が確認ＯＫではない場合には（ステップＳ３０８でＮＯ）、端末装置１２０にキャンセルを指示して（ステップＳ３０９）、本処理を終了する。
【００９３】
ステップＳ３０２に戻り、送信設定情報７００と装置情報８００とを比較した結果、設定の組み合わせが図４で説明した組み合わせＢの場合では番号再入力を指示することとなる。ステップＳ３０２の判別の結果、番号再入力を指示する場合には（ステップＳ３０２で番号再入力）、端末装置１２０に番号再入力を指示する（ステップＳ３１０）。上記ステップＳ３０６とステップＳ３１０は、予め定められた操作をユーザに行わせる指示を端末装置１２０に通知する指示通知手段に対応する。
【００９４】
次いで、図７のステップＳ４１０で端末装置１２０から送信された入力結果を受信し（ステップＳ３１１）、入力結果がキャンセルか否か判別する（ステップＳ３１２）。
【００９５】
ステップＳ３１２の判別の結果、入力結果がキャンセルの場合には（ステップＳ３１２でＹＥＳ）、上記ステップＳ３０９に進む。
【００９６】
一方、ステップＳ３１２の判別の結果、入力結果がキャンセルではない場合には（ステップＳ３１２でＮＯ）、入力結果に示されるファックス番号が一致しているか否か判別する（ステップＳ３１３）。上記ステップＳ３０７とステップＳ３０８、及びステップＳ３１１とステップＳ３１３は、予め定められた操作により入力された入力結果を端末装置１２０から受信し、入力結果により宛先情報に誤りがないか否かを判別する判別手段に対応する。
【００９７】
ステップＳ３１３の判別の結果、ファックス番号が一致していない場合には（ステップＳ３１３でＮＯ）、上記ステップＳ３１０に戻る。
【００９８】
一方、ステップＳ３１３の判別の結果、ファックス番号が一致している場合には（ステップＳ３１３でＹＥＳ）、上記ステップＳ３０４に進む。
【００９９】
上記処理では、ステップＳ３１１において入力結果を受信しているが、端末装置１２０でファックス番号の一致を判別して、その結果を入力結果に含めるようにしてもよい。この場合、ファックス番号が不一致という判別結果を受信した場合には、ステップＳ３１０に進み、ファックス番号が一致という判別結果を受信した場合には、ステップＳ３０４に進むこととなる。
【０１００】
次に説明する図９，１０のフローチャートは、再入力と確認とが必要か否かを判別する処理を端末装置１２０で実行させる場合の処理の手順を示している。
【０１０１】
図９は、図３における端末装置１２０のＣＰＵ２２０により実行されるファクシミリ送信要求処理の手順を示すフローチャートである。
【０１０２】
図９において、宛先設定画面５００やアドレス帳画面５１０でユーザによる設定が行われ、送信開始ボタン５０５が押下されると（ステップＳ１００１）、ファクシミリ装置１１０に装置情報８００を要求して装置情報８００を取得する（ステップＳ１００２）。そして、送信設定情報７００を生成する（ステップＳ１００３）。上記ステップＳ１００１では、図５の画面でファクシミリ装置１１０にデータを送信させるために、宛先情報がユーザの入力操作により入力されるので、入力手段に対応する。また、上記ステップＳ１００２は、装置情報８００を取得する取得手段に対応する。
【０１０３】
次いで、送信設定情報７００と装置情報８００と比較して、その比較結果で分岐する（ステップＳ１００４）。このステップＳ１００４は、ユーザに行わせる予め定められた操作を定める操作決定手段に対応する。
【０１０４】
ステップＳ１００４の判別の結果、設定の組み合わせが組み合わせＡ，Ｂ以外の組み合わせであることから、送信許可と判別された場合には（ステップＳ１００４で送信許可）、ファクシミリ装置１１０に送信設定情報と画像データとを送信し（ステップＳ１００７）、本処理を終了する。このステップＳ１００７は、宛先情報に誤りがないと判別された場合に（ステップＳ１００６でＹＥＳ、ステップＳ１００９で一致）、ファクシミリ装置１１０にデータ、及び宛先情報を含む送信設定情報とともに、データの送信要求を送信する第３送信手段に対応する。上記ステップＳ１００５とステップＳ１００６、及びステップＳ１００８とステップＳ１００９は、予め定められた操作をユーザに行わせ、予め定められた操作により入力された入力結果により宛先情報に誤りがないか否かを判別する判別手段に対応する。
【０１０５】
ステップＳ１００４の判別の結果、設定の組み合わせが組み合わせＡであることから、宛先確認を指示する場合には（ステップＳ１００４で宛先確認）、図６（Ｃ）の宛先確認画面６１０を表示して、ユーザによりＯＫボタン６１２またはキャンセルボタン６１３が押下される（ステップＳ１００５）。
【０１０６】
次いで、ＯＫボタン６１２が押下されたか否か判別する（ステップＳ１００６）。ステップＳ１００６の判別の結果、ＯＫボタン６１２が押下された場合には（ステップＳ１００６でＹＥＳ）、上記ステップＳ１００７に進む。
【０１０７】
一方、ステップＳ１００６の判別の結果、ＯＫボタン６１２が押下されなかった場合には（ステップＳ１００６でＮＯ）、本処理を終了する。
【０１０８】
ステップＳ１００４に戻り、ステップＳ１００４の判別の結果、設定の組み合わせが組み合わせＢであることから番号再入力を指示する場合には（ステップＳ１００４で番号再入力）、図６（Ａ）のファックス番号確認入力画面６００を表示し、ファックス番号を入力させ、ユーザによりＯＫボタン６０２またはキャンセルボタン６０３が押下される（ステップＳ１００８）。
【０１０９】
次いで、押下されたボタンとファックス番号で分岐する（ステップＳ１００９）。押下されたボタンがＯＫボタン６０２であり、ファックス番号が一致している場合には（ステップＳ１００９で一致）、上記ステップＳ１００７に進む。
【０１１０】
押下されたボタンがＯＫボタン６０２であり、ファックス番号が一致していない場合には（ステップＳ１００９で不一致）、図６（Ｂ）の番号不一致画面６２０を表示部２２４に表示して（ステップＳ１０１０）、ステップＳ１００８に戻る。
【０１１１】
押下されたボタンがキャンセルボタン６０３である場合には（ステップＳ１００９でキャンセル）、本処理を終了する。
【０１１２】
図１０は、図２におけるファクシミリ装置１１０のＣＰＵ２０２により実行されるファクシミリ送信処理の手順を示すフローチャートである。
【０１１３】
図１０において、端末装置１２０からの要求により、装置情報８００を送信し（ステップＳ９０１）、送信設定情報７００と画像データを受信して（ステップＳ９０２）、ファクシミリ送信を行い（ステップＳ９０３）、本処理を終了する。上記ステップＳ９０１は、装置情報を送信する装置情報送信手段に対応し、ステップＳ９０２は、データとともに、宛先へデータの送信要求を受信すると、宛先情報が示す宛先にデータを送信する送信手段に対応する。
【０１１４】
以上説明した実施の形態では、端末装置１２０の画像データをファクシミリ送信する内容となっているが、ファクシミリ装置１１０の読取部２０９で原稿を読み取ることで得られた画像データをファクシミリ送信するようにしてもよい。この場合、端末装置１２０は画像データを送信せずに、読取部２０９の読取開始を送信することとなる。
【０１１５】
以上説明したように、本実施の形態によれば、宛先情報に誤りがないか否かを判別するための予め定められた操作をユーザに行わせ（ステップＳ４５０，４０９）、予め定められた操作により入力された入力結果を通信装置に送信し（ステップＳ４０６，４１０）、通信装置から宛先情報に誤りがないことが通知された場合に（ステップＳ４０７で画像送信要求）、通信装置にデータとともに、データの送信要求を送信するので、誤送信を防止することができる。
【０１１６】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１１７】
１００  通信システム
１１０  ファクシミリ装置
１２０  端末装置
２０２，２２０  ＣＰＵ
２０３，２２１  ＲＡＭ
２０４，２２２  ＲＯＭ
２１０  操作パネル
２２４  表示部
２２５  操作部
２１１  モデム
２１２  回線インタフェース
７００  送信設定情報
８００  装置情報
【図１】
2015154448.tif 000003
【図２】
2015154448.tif 000004
【図３】
2015154448.tif 000005
【図４】
2015154448.tif 000006
【図５】
2015154448.tif 000007
【図６】
2015154448.tif 000008
【図７】
2015154448.tif 000009
【図８】
2015154448.tif 000010
【図９】
2015154448.tif 000011
【図１０】
2015154448.tif 000012